(57)【要約】【課題】海底に分散性良くブロック群を連続的に投入していくことを可能にするブロックの投下方法と投下装置を提供すること。【解決手段】船上に積載されている海底投下用ブロックの複数個を海底に投下するに際して、該ブロックの複数個単位でブロック群を構成し、さらに該ブロック群の複数群を構成し、ブロック群単位で個別独立に群構成ブロックを束縛し、一つの海底投下起動機構を作動させることにより、時間的間隔を置いて、順次に、各ブロック群単位でブロック群を構成する複数のブロックが船底開口を介して海底に投下されていくように構成したブロックの投下方法と、船上に積載されている海底投下用ブロックの複数個からなるブロック群の複数を各ブロック群単位で束縛するブロック群束縛機構と、一つの海底投下起動機構の作動により順次に時間を置いて前記各ブロック群単位での束縛を解放していく海底投下起動機構とを有してなるブロックの投下装置。【選択図】図１
2005264588.tif 000002
【特許請求の範囲】
【請求項１】
船上に積載されている海底投下用ブロックの複数個を海底に投下するに際して、ブロックの複数個単位でブロック群を構成し、さらに該ブロック群の複数群を構成し、該ブロック群単位で個別独立に群構成ブロックを束縛し、一つの海底投下起動機構を作動させることにより、時間的間隔を置いて、順次に、各ブロック群単位で該ブロック群を構成する複数個のブロックが船底開口を介して海底に投下されていくように構成したことを特徴とするブロックの投下方法。
【請求項２】
船首と船尾を結ぶ方向下に、複数のブロック群が並置されているものであることを特徴とする請求項１記載のブロックの投下方法。
【請求項３】
船首と船尾を結ぶ船底中心線を挟んだ右舷側サイドと左舷側サイドのそれぞれに、請求項１記載のブロックの投下方法を実施する投下機構系列が設けられているものであることを特徴とする請求項１または２記載のブロックの投下方法。
【請求項４】
請求項１記載のブロックの投下方法を実施する投下機構が、船首と船尾を結ぶ方向下に、複数系列設けられているものであることを特徴とする請求項１、２または３記載のブロックの投下方法。
【請求項５】
ブロック群単位でのブロック束縛がロープ状物でブロック群ごとに繋ぎ止めることにより行なわれ、海底投下起動機構が、一つのスライドロッドをロッド軸方向にスライドさせることにより、ブロック群単位で前記ロープ状物による束縛が解放されて、該ブロック群のブロックが自重で船底開口を介して海底に投下されていくように構成したものであることを特徴とする請求項１、２、３または４記載のブロックの投下方法。
【請求項６】
スライドロッドを該ロッドの軸方向にスライドさせていく際の該スライド量変化に対応して、時間的間隔を置いて、順次、ブロック群単位でロープ状物による束縛が解放されていくように構成したものであることを特徴とする請求項５記載のブロックの投下方法。
【請求項７】
船上に積載されている海底投下用ブロックの複数個からなるブロック群の複数を各ブロック群単位で束縛するブロック群束縛機構と、一つの海底投下起動機構の作動により順次に時間を置いて前記各ブロック群単位での束縛を解放していく海底投下起動機構とを有してなることを特徴とするブロックの投下装置。
【請求項８】
ブロック群ごとの束縛がロープ状物により行われるものであり、海底投下起動機構がスライドロッドであり、該スライドロッドをスライドさせることにより、該スライドロッド上に各ブロック群に対応させて設けたピンが前記ロープ状物による束縛を解放するものであることを特徴とする請求項７記載のブロックの投下装置。
【発明の詳細な説明】
【技術分野】
【０００１】
本発明は、船上から海底にブロックを投下する際に用いられるブロックの束縛・投下方法と束縛・投下装置に関する。
【背景技術】
【０００２】
近年、海中に、本来は存在していなかった湧昇流を形成させることにより漁場の活性化を図るという試みがなされている。湧昇流を形成させることにより、海底やその付近に存在する栄養分に富んだ海水の流れを海面近くまで湧昇流として現出させ、その海域でのプランクトンなどの海洋小動物の増繁殖を招き、これが更に、該プランクトンなどを食べる魚介類の増繁殖を招くので好適な漁場を形成することができるからである。
【０００３】
このように、海中に本来は存在していなかった湧昇流を形成させるには、該海域の海底にマウンド（丘）を人工的に形成させることが有効である。このマウンドに潮流が当たることにより自然に湧昇流を形成させることができるからである。
【０００４】
海底にマウンドを形成するために行われる手法は、一般に、人工湧昇流造成工事として、重量が約１トン前後などのコンクリート製ブロックの多数を海上から投下して、具体的には、海上に浮かぶ船舶から多数のコンクリート製ブロックを投下して、海底の所望の位置に所望の人工マウンドを築造するという手法が採用されている。
【０００５】
コンクリートブロックの運搬と投下は、土運船とも呼ばれるいわゆるバージ船を用いて行なわれ、バージ船は船底が開閉する機構を有していて、開口された船底から積載されたコンクリートブロックをその自重によって、順次投下して作業を行なっていくものである。
したがって、バージ船は、積載されている多数のコンクリートブロックを、運搬航行中に固定する機能と落下させる機能とを有している。
【０００６】
海底にマウンドをより効果的に築造するためには、投入されたブロックが海底の所定の位置でかつ適宜の区域内において分散して投下堆積されていくことが重要である。
【０００７】
この点、一定の狭い領域内に集中して投下することが要請される工事、例えば、港湾内などにおいて、新たな防波堤を築造する場合等とは、要請されるブロックの投入手法が相違すると言えるものである。
【０００８】
例えば、港湾に防波堤や突堤を築く工事を行うに際して用いられる、海底に基礎石用ブロックを投入するバージ船の構造に関する提案がされている（特許文献１）。このバージ船についての提案は、船首または船尾に荷出入口を設けて、専ら、積載されているブロックの海底への投入を能率的・速やかにかつ安全に該荷出入口から行うために、荷であるブロックを船上移動させる装置に関するものであった。
【０００９】
すなわち、本発明でねらいとする、ブロックが海底の所望の区域内にて、より分散するように投入するという技術思想は、該提案では存在しないものであった。
【００１０】
特に、本発明の如くに海中に湧昇流を現出させるようなマウンドを形成するには、所望の区域にて分散するようにブロックを投入することが重要なのである。
【特許文献１】特許第２８３４３８９号公報
【発明の開示】
【発明が解決しようとする課題】
【００１１】
本発明の目的は、上述したような点に鑑み、所定領域内の海底に分散性良くブロック群を連続的に投入していくことを可能にするブロックの投下方法と投下装置を提供することにある。
【課題を解決するための手段】
【００１２】
上記した目的を達成する本発明のブロックの投下方法は、以下の(1) の構成からなる。
（１）船上に積載されている海底投下用ブロックの複数個を海底に投下するに際して、ブロックの複数個単位でブロック群を構成し、さらに該ブロック群の複数群を構成し、該ブロック群単位で個別独立に群構成ブロックを束縛し、一つの海底投下起動機構を作動させることにより、時間的間隔を置いて、順次に、各ブロック群単位で該ブロック群を構成する複数個のブロックが船底開口を介して海底に投下されていくように構成したことを特徴とするブロックの投下方法。
【００１３】
また、上記した本発明のブロックの投下方法は、より具体的に好ましくは、以下の(2) 〜(6) の構成からなるものである。
（２）船首と船尾を結ぶ方向下に、複数のブロック群が並置されているものであることを特徴とする上記(1) 記載のブロックの投下方法。
（３）船首と船尾を結ぶ船底中心線を挟んだ右舷側サイドと左舷側サイドのそれぞれに、上記(1) 記載のブロックの投下方法を実施する投下機構系列が設けられているものであることを特徴とする上記(1) または(2) 記載のブロックの投下方法。
（４）上記(1) 記載のブロックの投下方法を実施する投下機構が、船首と船尾を結ぶ方向下に、複数系列設けられているものであることを特徴とする上記(1) 、(2) または(3) 記載のブロックの投下方法。
（５）ブロック群単位でのブロック束縛がロープ状物でブロック群ごとに繋ぎ止めることにより行なわれ、海底投下起動機構が、一つのスライドロッドをロッド軸方向にスライドさせることにより、ブロック群単位で前記ロープ状物による束縛が解放されて、該ブロック群のブロックが自重で船底開口を介して海底に投下されていくように構成したものであることを特徴とする上記(1) 、(2) 、(3) または(4) 記載のブロックの投下方法。
（６）スライドロッドを該ロッドの軸方向にスライドさせていく際の該スライド量変化に対応して、時間的間隔を置いて、順次、ブロック群単位でロープ状物による束縛が解放されていくように構成したものであることを特徴とする上記(5) 記載のブロックの投下方法。
【００１４】
上記した目的を達成する本発明のブロックの投下装置は、以下の(7) の構成からなる。
（７）船上に積載されている海底投下用ブロックの複数個からなるブロック群の複数を各ブロック群単位で束縛するブロック群束縛機構と、一つの海底投下起動機構の作動により順次に時間を置いて前記各ブロック群単位での束縛を解放していく海底投下起動機構とを有してなることを特徴とするブロックの投下装置。
【００１５】
また、上記(7) の本発明のブロックの投下方法は、より具体的に好ましくは、以下の(8) の構成からなるものである。
（８）ブロック群ごとの束縛がロープ状物により行われるものであり、海底投下起動機構がスライドロッドであり、該スライドロッドをスライドさせることにより、該スライドロッド上に各ブロック群に対応させて設けたピンが前記ロープ状物による束縛を解放するものであることを特徴とする上記(7) 記載のブロックの投下装置。
【発明の効果】
【００１６】
請求項１にかかる本発明によれば、コンクリートブロックを船載したバージ船から、所定の海底区域内にて、より分散するようにブロックを投入することを可能にするブロックの投下方法が提供されるものである。
【００１７】
請求項２にかかる本発明によれば、設けるブロック群の群数を多くでき、より分散性良く投下することができるブロックの投下方法が提供されるものである。
【００１８】
請求項３にかかる本発明によれば、船載のバランスが良く船舶航行面でも安全に、かつより分散性良く投下することができるブロックの投下方法が提供されるものである。
【００１９】
請求項４にかかる本発明によれば、設けるブロック群の群数を多くできるとともに、複数の系列を用いて投下できるので、より分散性良くかつ分散性の制御良く投下することができるブロックの投下方法が提供されるものである。
【００２０】
請求項５にかかる本発明によれば、作動機構として、より確実に実施できる本発明にかかるブロックの投下方法が提供されるものである。
【００２１】
請求項６にかかる本発明によれば、作動機構として、より確実にかつより適切な時間間隔でブロックの投下を実施できる本発明にかかるブロックの投下方法が提供されるものである。
【００２２】
請求項７にかかる本発明によれば、コンクリートブロックを船載したバージ船から、所定の海底区域内にて分散するようにブロックを投入することを可能にするブロックの投下装置が提供されるものである。
【００２３】
請求項８にかかる本発明によれば、作動機構として、より確実にかつより適切な時間間隔でブロックの投下を実施できる本発明にかかるブロックの投下装置が提供されるものである。
【発明を実施するための最良の形態】
【００２４】
以下、更に詳しく本発明のブロックの投下方法と投下装置について、説明する。
【００２５】
図１は、本発明のブロックの投下方法を実施するブロック投下装置に関して、船載状況をモデル的に示した概略モデル平面図である。
【００２６】
本発明のブロックの投下方法は、図１にモデルを示したように、バージ船１にブロック２を多数船載して、海上の所望の位置で該多数のブロック２を開閉する船底の開口部（図示せず）から海中に個々のブロック２の自重により投下していくに際して、該ブロックの複数個単位で一つのブロック群Ｇを構成し、さらに該ブロック群Ｇの複数で一つの系列を構成し、該一つのブロック群単位で個別独立に群構成ブロックを束縛するようにし、そして、一つの系列に対応して設けられた一つの海底投下起動機構を作動させることによって、時間的間隔を置いて、順次に各ブロック群単位で該ブロック群を構成する複数のブロックが船底開口を介して海底に投下されていくように構成したものである。
【００２７】
図１において、一点鎖線で囲って示したのが一つのブロック群Ｇであり、この例では、大半のブロック群が８個のブロックから構成されていて、但し、端部に位置するブロック群として４個のブロックから構成されているブロック群がある例を示している。
【００２８】
図２は、バージ船内にてブロック２がブロック群Ｇの一単位ごとに独立して束縛されて、船内で固定されている状態を示したものである。同図において４は束縛機構であり、その例として、ワイヤーロープで緊縛している例を示しているが、これに限定はされない。ワイヤーロープで束縛をする場合、そのやり方は、特に限定されるものではないが、例えば、バージ船の船槽の壁面５に設置したリボンスクリュー６の端部に該ワイヤーロープ４の片側端を結びつけて固定し、もう一方のワイヤーロープ端は、船槽内に積載されているブロックをブロック群Ｇ単位で回し掛けした後に、甲板上の貫通口を経て突出しているロープ固定フック７に掛けて留め置くことなどにより行うことができる。
【００２９】
海上においてバージ船がブロック投下位置に到達したとき、ブロックの投下は、該ロープ固定フック７を下方に回動せしめることにより、ワイヤーロープ４の該固定フック７への係合を解いて束縛状態を解放させることにより行われる。
【００３０】
該固定フックからロープ４が外れる前に、バージ船の船底開口部が開口される。バージ船の船底は、図３にモデルを示したように、傾斜造成がなされており、束縛から解放されたブロック２は、自重によりブロック群Ｇ単位で海底に投下されていくものである。図３は、本発明のブロックの投下方法を実施するブロック投下装置に関して、船載状況を船首船尾を結ぶ方向と直角な方向で断面をとってモデル的に示した概略モデル断面図であり、傾斜造成の程度は５度から２０度程度の範囲内がよい。
【００３１】
図４は、本発明のブロックの投下方法を実施するブロック投下装置に関して、ブロック群を束縛し更に束縛を解いてブロックを投下させていく機構の１実施態様例を示した概略モデル正面図である。
【００３２】
図４において、３は海底投下起動機構であり、図１に示したように該起動機構３により共に作動が支配されている複数のブロック群に対応してそれらブロック群の横に延びるスライドロッドなどの具体的態様で実現できるものである。
【００３３】
図４に示したように、海底投下起動機構３（スライドロッド）の側面には、複数のボルト孔１０が適宜間隔をおいて開けられており、適宜位置のボルト孔１０にピンボルト９が取付けられている。
【００３４】
このピンボルト９が、該スライドロッド３のスライド移動（図４の矢印ａ方向）が進むにつれて、回動レバー８の先端部に当接して、これにより該回動レバー８の先端部を反時計方向に回動させて、その結果、回動レバー８の底部がロープ固定フック７の左端を押し上げ、ロープ固定フック７の右端部は支点Ｐを中心にして下方に傾倒し、ワイヤーロープ４が該固定フック７から外れることにより、束縛状態の解放が行われる。図４においては、スライドロッド３の長さ方向と固定フック７の長さ方向とを平行なものにして例示して説明しているが、そのような態様には拘らないものである。
【００３５】
このような機構において、ピンボルト９をどのボルト孔１０に取り付けるかによって、スライドロッド３のスライド移動量に対応して、時間をずらして、ピンボルト９と回動レバー８の先端部の当接する時点を制御することができることとなり、各群単位に、ピンボルトの取り付け位置をずらしておくことにより、時間的間隔をおいてブロックの束縛を群単位で解いていくことができる。
【００３６】
したがって、バージ船の航行速度にもよるが、スライドロッドのスライド速度を調整すること等により、時間をおいて分散してブロックを投下していくようにすることができる。
【００３７】
本発明において、ブロック群は、船首と船尾を結ぶ方向に並んでいるのがよい。そのようにすれば、グループ単位で順次に投下していくのに実際的であり、便利である。
【００３８】
各グループにおいては、船首と船尾を結ぶ方向と垂直な方向下にブロックを並べて一つの群を構成することが好ましい。船底の傾斜構造により自重によって落下していくことが容易だからである。
【００３９】
また、ブロック群、ブロック系列は、船の左右の舷側側に均等に積載されているのがバージ船の安全航行上好ましい。従って、左右対称にブロック投下がなされていくように構成するのが良い。
【００４０】
海底投下起動機構であるスライドロッドは、ロッド状であることに限定されず、ロープ状物やケーブル状物などでもよい。これらの場合には可撓性があるのでロッドの場合と比較して、狭い船上などでも使用しやすいものである。
【００４１】
また、一つのブロック群の構成の仕方や、一つの系列の構成の仕方などは、図面を用いて説明した態様のものに限られず、適宜に上述した可撓性のある海底投下起動機構を用いたりすることにより、左右の両舷側にわたって一つの系列を構成するような態様にしてもよいものである。
【００４２】
また、図１、図２では、固定フック７が、船首−船尾方向と垂直な方向にフックが延びているように図示しているが、そのような態様に限定されず、図３、図４に示したように船首−船尾方向（スライドロッドの長さ方向）と平行な方向にフックが延びているようにしてもよいものである。
【図面の簡単な説明】
【００４３】
【図１】図１は、本発明のブロックの投下方法を実施するブロック投下装置に関して、船載状況をモデル的に示した概略モデル平面図である。
【図２】図２は、本発明のブロックの投下方法を実施する際におけるブロックの束縛状態をモデル的に示した概略モデル斜視図である。
【図３】図３は、本発明のブロックの投下方法を実施するブロック投下装置に関して、船載状況を船首船尾を結ぶ方向と直角な方向で断面をとってモデル的に示した概略モデル断面図である。
【図４】図４は、本発明のブロックの投下方法を実施するブロック投下装置に関して、ブロック群を束縛して更に束縛を解いてブロックを投下させていく機構の１実施態様例を示した概略モデル正面図である。
【符号の説明】
【００４４】
１：バージ船
２：ブロック
３：海底投下起動機構（スライドロッド）
４：束縛機構（ワイヤーロープ）
５：バージ船の船槽壁面
６：リボンスクリュー
７：ロープ固定フック
８：フック作動装置の回動レバー
９：ピンボルト
１０：ボルト孔
Ｇ：１つのブロック群
Ｈ：フック作動装置
【図１】
2005264588.tif 000003
【図２】
2005264588.tif 000004
【図３】
2005264588.tif 000005
【図４】
2005264588.tif 000006